(57)【要約】【課題】  設置場所が不整地や傾斜地であっても、水平姿勢に簡単且つ容易に設置できると共に、消防用ホース等を格納する格納箱内のスペースを有効利用でき、然も、夜間や暗がりでも設置場所を容易に確認できるようにする。【解決手段】  コンクリート製の据え付け架台１と、当該据え付け架台１の上面側に、据え付け架台１の上面に対する傾斜角度を調整自在に固定される水平レベル調整板２と、当該水平レベル調整板２を水平レベルに調整して据え付け架台１上に水平姿勢で固定するレベル調整固定機構３と、前記水平レベル調整板２上に載置固定した消防用ホースＡの格納箱４とから構成する。【選択図】  図３
2010094202.tif 000002
【特許請求の範囲】
【請求項１】
コンクリート製の据え付け架台（１）と、当該据え付け架台（１）の上面側に、据え付け架台（１）の上面に対する傾斜角度を調整自在に固定される水平レベル調整板（２）と、当該水平レベル調整板（２）を水平レベルに調整して据え付け架台（１）上に水平姿勢で固定するレベル調整固定機構（３）と、前記水平レベル調整板（２）上に載置固定した消防用ホース（Ａ）の格納箱（４）とから構成したことを特徴とする屋外用消防ホース格納箱。
【請求項２】
ホース格納箱（４）内に、ノズル（Ｂ）と地下式消火栓の開閉用キーハンドル（Ｃ）を鉛直姿勢で前後方向に配列して保持するフック（１０ａ）付のノズル受け（１０）を配設したことを特徴とする請求項１に記載の屋外用消防ホース格納箱。
【請求項３】
格納箱（４）の外周面に、再帰反射テープ（５）を貼り付けたことを特徴とする請求項１又は請求項２に記載の屋外用消防ホース格納箱。
【請求項４】
コンクリート製の据え付け架台（１）を、その底部にアンカー止め用の固定金具（６）を挿入固定するための開口（１ａ）を形成した据え付け架台（１）とし、当該据え付け架台（１）を固定金具（６）とアンカーピン（８）又はアンカーボルト（９）により設置面へ固定する構成としたことを特徴とする請求項１、請求項２又は請求項３に記載の屋外用消防ホース格納箱。
【発明の詳細な説明】
【技術分野】
【０００１】
本発明は、歩道や道路脇、建物の周囲等に設置されて内部に消火活動に使用される消防用ホースやノズル等を格納した屋外用消防ホース格納箱の改良に係り、特に、設置場所が不整地や傾斜地であっても水平姿勢に簡単且つ容易に設置できると共に、消防用ホース等を格納する格納箱内のスペースを有効利用できるうえ、夜間や暗がりでも設置場所を容易に確認できるようにした屋外用消防ホース格納箱に関するものである。
【背景技術】
【０００２】
一般に、歩道や道路脇等の屋外に設置される屋外用消防ホース格納箱は、自然の風雨に曝され易いので、消防用ホースやノズル等を格納する格納箱を適宜の高さを有するコンクリート製の架台の上に載せる構成となっている。
【０００３】
コンクリート製の架台を用いた屋外用消防ホース格納箱の従来技術としては、例えば、実用新案登録第２１３３７２５号公報（特許文献１）に開示された屋外据付け型消火用ホース格納庫や特許第３０６９５５９号公報（特許文献２）に開示された収納箱載置固定基台が知られている。
【０００４】
即ち、前者の屋外据付け型消火用ホース格納庫は、図示していないが、コンクリート製の左右の据付け脚柱と、左右の据付け脚柱の上面に固着された防蝕用連繋プレートと、左右の据付け脚柱の上面に植設された複数のスタッドボルトと、スタッドボルトに嵌め込まれる座金と、スタッドボルトに螺着される固定ナットと、左右の据付け脚柱の上面に載置される格納庫本体とから構成されており、格納庫本体の底板に形成したボルト受入れ長孔内にスタッドボルトを挿通し、当該スタッドボルトへ格納庫本体の内方から座金を介して固定ナットを螺着することによって、左右の据付け脚柱と格納庫本体とを組立固定するようにしたものである。
【０００５】
この屋外据付け型消火用ホース格納庫は、据付け脚柱の成形時にスタッドボルトの間隔や姿勢を防蝕用連繋プレートにより正しく安定裡に保つことができるうえ、スタッドボルトの上端部や固定ナットが格納庫本体内に位置して風雨に曝されず、風雨による発錆や老化を防止できる等の利点がある。
【０００６】
一方、後者の収納箱載置固定基台は、図示していないが、コンクリート製の左右の基台ブロックと、左右の基台ブロックの上面に植設された複数の収納箱載置固定用ボルトと、左右の基台ブロックの上面に架設載置されるゲージ板とから構成されており、左右の基台ブロックの上面に植設した収納箱載置固定用ボルトをゲージ板に形成したボルト挿嵌孔に挿通することによって、左右の基台ブロックの位置決めを行えるようにしたものである。
【０００７】
この収納箱載置固定基台は、左右の基台ブロックを設置する際にゲージ板により基台ブロックの位置決めを容易に行えるうえ、収納箱載置固定基台へのホース等の格納箱の設置を容易に行える等の利点がある。
【０００８】
ところで、上述した屋外据付け型消火用ホース格納庫や収納箱載置固定基台を用いた屋外用消防ホース格納箱は、これらを不整地や水はけを良くするための勾配を設けた傾斜地に設置する場合に、コンクリート製の据付け脚柱や基台ブロックを水平に設置しなければならない。
【０００９】
何故なら、据付け脚柱や基台ブロックが傾斜した状態で設置されると、据付け脚柱や基台ブロック上に載置固定される消防用ホース等の格納箱が変形等を起こし、開閉扉の開閉に支障を来たすと云う問題が発生するからである。
又、消防用ホース等の格納箱が傾斜して設置されると、内部に浸入した雨水が格納箱内の底部に片寄った状態で溜まり、格納箱の底板に形成した水抜き孔から自然に排出され難くなり、錆びを誘発するからである。
【００１０】
しかし、上述した従来の屋外据付け型消火用ホース格納庫や収納箱載置固定基台を用いた屋外用消防ホース格納箱は、これらを不整地や傾斜地に設置する場合、据付け脚柱及び基台ブロックと設置面との間に石を噛ませ、格納箱が水平になるようにレベル調整しているが、据付け脚柱や基台ブロックの微妙なレベル調整を行い難く、設置に時間がかかると云う問題があった。
【００１１】
又、屋外据付け型消火用ホース格納庫や収納箱載置固定基台を用いた屋外用消防ホース格納箱は、格納箱内に消防用ホースやノズルの他に地下式消火栓の開閉用キーハンドルやスタンドパイプを追加収納する場合に、これらをただ単に格納箱内に押し込むだけの収納となっており、これらを格納箱内に整然と収納することができなかったり、或いは収納できないこともあった。そのため、火災発生時に格納箱内から消防用ホースや開閉用キーハンドル、ノズル等を取り出し難いと云う問題があった。
【００１２】
更に、屋外据付け型消火用ホース格納庫や収納箱載置固定基台を用いた屋外用消防ホース格納箱は、歩道や道路脇に設置する場合が多く、夜間の照明が不十分であると、夜間に格納箱を確認し難くなる。そのため、夜間に火災が発生した場合には、格納箱の位置確認が遅れ、迅速な消火活動を行えないと云う問題があった。
又、夜間に屋外用消防ホース格納箱を確認し難いと、自転車や自動車との接触事故が起こり易くなり、格納箱が破損したり、或いは傷付いたりすることがある。この場合には、火災発生時に格納箱の開閉扉が開き難くなったり、格納箱の塗装が剥がれて腐食を促進してしまうと云う問題があった。
【００１３】
【特許文献１】実用新案登録第２１３３７２５号公報
【特許文献２】特許第３０６９５５９号公報
【発明の開示】
【発明が解決しようとする課題】
【００１４】
本発明は、このような問題点に鑑みて為されたものであり、その目的は、設置場所が不整地や傾斜地であっても水平姿勢に簡単且つ容易に設置できると共に、消防用ホース等を格納する格納箱内のスペースを有効利用でき、然も、夜間や暗がりでも設置場所を容易に確認できるようにした屋外用消防ホース格納箱を提供することにある。
【課題を解決するための手段】
【００１５】
本発明の請求項１の屋外用消防ホース格納箱は、コンクリート製の据え付け架台と、当該据え付け架台の上面側に、据え付け架台の上面に対する傾斜角度を調整自在に固定される水平レベル調整板と、当該水平レベル調整板を水平レベルに調整して据え付け架台上に水平姿勢で固定するレベル調整固定機構と、前記水平レベル調整板上に載置固定した消防用ホースの格納箱とから構成したことに特徴がある。
【００１６】
本発明の請求項２の屋外用消防ホース格納箱は、請求項１の発明に於いて、ホース格納箱内に、ノズルと地下式消火栓の開閉用キーハンドルを鉛直姿勢で前後方向に配列して保持するフック付のノズル受けを配設したことに特徴がある。
【００１７】
本発明の請求項３の屋外用消防ホース格納箱は、請求項１又は請求項２の発明に於いて、格納箱の外周面に、再帰反射テープを貼り付けたことに特徴がある。
【００１８】
本発明の請求項４の屋外用消防ホース格納箱は、請求項１、請求項２又は請求項３の発明に於いて、コンクリート製の据え付け架台を、その底部にアンカー止め用の固定金具を挿入固定するための開口を形成した据え付け架台とし、当該据え付け架台を固定金具とアンカーピン又はアンカーボルトにより設置面へ固定する構成としたことに特徴がある。
【発明の効果】
【００１９】
本発明の請求項１の屋外用消防ホース格納箱は、コンクリート製の据え付け架台と、据え付け架台の上面側に傾斜角度を調整自在に固定される水平レベル調整板と、水平レベル調整板を水平レベルに調整して据え付け架台上に水平姿勢で固定するレベル調整固定機構と、水平レベル調整板上に載置固定した消防用ホースの格納箱とから構成しているため、不整地や傾斜地への設置時に据え付け架台の水平レベルが出ていなくても、水平レベル調整板をレベル調整固定機構により水平姿勢に保つことによって、格納箱を水平姿勢に簡単且つ容易に設置することが可能となる。
その結果、本発明の請求項１の屋外用消防ホース格納箱は、不整地や傾斜地に設置する場合でも、据え付け架台の微妙なレベル調整が不要となり、設置を短時間で簡単且つ容易に行える。
又、本発明の請求項１の屋外用消防ホース格納箱は、不整地や傾斜地でも消防用ホース等を格納する格納箱を水平に設置できるため、格納箱が変形を起こすと云うことがなく、開閉扉の開閉もスムースに行える。
更に、本発明の請求項１の屋外用消防ホース格納箱は、不整地や傾斜地でも格納箱を水平に設置できるため、格納箱内に浸入した雨水が格納箱内に片寄った状態で溜まると云うことがなく、格納箱の底板に形成した水抜き孔から雨水が排水され易くなり、錆びを誘発し難くなる。
そのうえ、本発明の請求項１の屋外用消防ホース格納箱は、格納箱の底面が水平レベル調整板と接触し、コンクリート製の据え付け架台の上面に直接接触することがないので、従来のように雨水が格納箱の底面と据え付け架台の上面との接触面に浸透して腐蝕を促進すると云うこともなくなる。
【００２０】
本発明の請求項２〜請求項４の屋外用消防ホース格納箱は、上記効果に加えて更に次のような優れた効果を奏することができる。
【００２１】
即ち、本発明の請求項２の屋外用消防ホース格納箱は、格納箱内に、ノズルと地下式消火栓の開閉用キーハンドルを前後方向に配列して保持するフック付のノズル受けを配設しているため、格納箱内にノズル及び開閉用キーハンドルを整然と収納することができ、収納スペースが広くなって格納箱内のスペースを有効利用することができる。
その結果、本発明の請求項２の屋外用消防ホース格納箱は、格納箱内にスタンドパイプ等の収納場所を確保することができるうえ、消防用ホースやノズル、開閉用キーハンドル等の取り出しも容易に行える。
【００２２】
本発明の請求項３の屋外用消防ホース格納箱は、格納箱の外周面に、再帰反射テープを貼り付けているため、夜間の照明が不十分である歩道や道路脇に設置しても、夜間に設置場所を容易に確認することができ、火災発生時に迅速な消火活動を行える。
又、本発明の請求項３の屋外用消防ホース格納箱は、夜間に格納箱の設置場所を容易に確認することができるため、人に対して確実に注意を喚起でき、夜間に格納箱近傍を通過する自転車や自動車との接触事故を防止することができる。
【００２３】
本発明の請求項４の屋外用消防ホース格納箱は、据え付け架台を、その底部にアンカー止め用の固定金具を挿入固定するための開口を形成した据え付け架台とし、当該据え付け架台を固定金具とアンカーピン又はアンカーボルトにより設置面へ固定する構成としているため、不整地や傾斜地であっても、格納箱を設置面へ強固に固定することができ、地震等による格納箱自体の不慮の転倒を確実に防止することができ、安全性に優れたものとなる。
【発明を実施するための最良の形態】
【００２４】
以下、本発明の実施の形態を図面に基づいて詳細に説明する。
図１〜図５は本発明の実施の形態に係る屋外用消防ホース格納箱を示し、当該屋外用消防ホース格納箱は、歩道や道路脇、建物の周囲等に設置されて火災発生時に消火活動に使用される消防用ホースＡやノズルＢ等を格納するものであり、設置場所が不整地や傾斜地であっても、水平姿勢に簡単且つ容易に設置できると共に、格納箱４内のスペースを有効利用できるうえ、夜間や暗がりでも設置場所を容易に確認できるようにしたものである。
【００２５】
即ち、前記屋外用消防ホース格納箱は、図１〜図５に示す如く、コンクリート製の左右の据え付け架台１と、据え付け架台１の上面側に、据え付け架台１の上面に対する傾斜角度を調整自在に固定される水平レベル調整板２と、水平レベル調整板２を水平レベルに調整して据え付け架台１上に水平姿勢で固定するレベル調整固定機構３と、水平レベル調整板２上に載置固定した消防用ホースＡの格納箱４と、格納箱４の外周面に貼り付けた再帰反射テープ５とから構成されており、格納箱４内に消防用ホースＡ、ノズルＢ、地下式消火栓の開閉用キーハンドルＣ、地下式消火栓に接続されるスタンドパイプＤを夫々収納したものである。
【００２６】
具体的には、前記左右の据え付け架台１は、図６に示す如く、コンクリートによりブロック状に形成されており、その底部中央位置には、アンカー止め用の固定金具６を挿入固定するための開口１ａが形成されている。尚、固定金具６には、断面形状がＬ字形の鋼材が使用されている。
又、左右の据え付け架台１の開口１ａには、耐食性を有する金属板（この例では、ステンレス鋼板）により形成された四角筒状の補強部材７が固着されている。この補強部材７は、据え付け架台１の開口１ａに挿入された固定金具６の両端部が開口１ａから抜け落ちるのを防止すると共に、据え付け架台１を固定金具６及びアンカーピン８（又はアンカーボルト９）を用いて設置面へ押圧固定できるようにするものである。
更に、左右の据え付け架台１の上面には、後述するレベル調整固定機構３の固定用ボルト３ａが前後方向に一定の間隔をあけた状態で且つ据え付け架台１の上面から上方へ突出する状態で植設されている。
【００２７】
前記水平レベル調整板２は、図６に示す如く、ステンレス鋼板や鋼板の表面に耐食性に優れた材料を被覆した表面処理鋼板等の金属板により格納箱４の底面よりも若干小さめの長方形状に形成されており、左右の据え付け架台１上に、後述するレベル調整固定機構３により据え付け架台１の上面との間に隙間を設けた状態で且つ水平姿勢で固定されるようになっている。
この水平レベル調整板２の四隅には、レベル調整固定機構３の固定用ボルト３ａが遊嵌状態で挿通されるボルト挿通孔２ａが夫々形成されていると共に、水平レベル調整板２の中央位置には、水平レベル調整板２の長手方向に沿って水抜き孔２ｂが一定の間隔で形成されている。
【００２８】
前記レベル調整固定機構３は、図３、図４及び図６に示す如く、下端部側が据え付け架台１の上面側に埋設され、上端部側が据え付け架台１の上面から一定高さだけ突出して水平レベル調整板２のボルト挿通孔２ａに挿通される四本の固定用ボルト３ａと、各固定用ボルト３ａに二つずつ螺着されるナット３ｂと、各固定用ボルト３ａに二枚ずつ挿着される小さめの平座金３ｃと、各固定用ボルト３ａに二枚ずつ挿着される大きめの平座金３ｄと、各固定用ボルト３ａに二枚ずつ挿着される勾配吸収用の環状のゴムパッキン３ｅとから構成されており、不整地や傾斜地の勾配をゴムパッキン３ｅで吸収して水平レベル調整板２を据え付け架台１上で水平レベルに調整できると共に、水平調整した水平レベル調整板２を格納箱４と一緒に据え付け架台１上に固定できるようにしたものである。
【００２９】
前記格納箱４は、図１〜図５に示す如く、左右の側板４ａ、背板４ｂ、屋根板４ｃ及び底板４ｄから成る前面が開放された表面処理鋼板製のボックス本体４′と、ボックス本体４′に回転軸（図示省略）を介して回動自在に取り付けられ、ボックス本体４′の前面側開口を開閉する止め金付きのハンドル４ｅを備えた表面処理鋼板製の開閉扉４″とから構成されている。
又、格納箱４の底板４ｄは、上げ底構造になっており、その上面が開閉扉４″の下端と同一の高さに設定されている。この底板４ｄには、水平レベル調整板２のボルト挿通孔２ａに合致してレベル調整固定機構３の固定用ボルト３ａを受け入れる四つのボルト受入れ孔（図示省略）と、水平レベル調整板２の水抜き孔２ｂに合致する複数の水抜き孔４ｄ′とが夫々形成されている。
更に、格納箱４の左右の側板４ａ及び背板４ｂ等の下端部は、内方へ直角に折り曲げられており、側面の強度の向上と腐食に対して一番弱い鋼板の切断面を雨水から保護するようになっている。
【００３０】
そして、格納箱４内には、ノズルＢと地下式消火栓の開閉用キーハンドルＣを鉛直姿勢で前後方向に配列して保持するフック１０ａ付のノズル受け１０と、消防用ホースＡを保持するホース受け１１とが配設されている。
【００３１】
即ち、ノズル受け１０は、図３、図４、図５及び図７に示す如く、鋼板材により二股状に形成されて二股部分の前側部分でノズルＢを鉛直姿勢で保持できるようになっており、ボックス本体４′内の背板４ｂに水平姿勢で固定されている。この二股状のノズル受け１０の奥部には、開閉用キーハンドルＣを鉛直姿勢で保持するフック１０ａが一体的に形成されている。これにより、ノズル受け１０は、ノズルＢと開閉用キーハンドルＣを鉛直姿勢で前後方向に配列して保持することができる。
又、ホース受け１１は、ボックス本体４′の底板４ｄ上面に片寄った状態で設けられている。
【００３２】
前記再帰反射テープ５は、図１及び図２に示す如く、格納箱４体の屋根板４ｃの前端部及び両側端部に貼り付けられており、衝突防止用や緊急時の位置確認用として使用されるものである。この再帰反射テープ５は、裏面に接着層を設けた樹脂製の基層上にアルミニウム、銀又は銅等の金属を蒸着又は塗装によって反射膜を形成し、この反射膜上に無数のガラスピースを樹脂によって接着したテープである。
【００３３】
次に、上述した屋外用消防ホース格納箱を不整地や傾斜地に設置する場合について説明する。
【００３４】
先ず、左右の据え付け架台１を不整地や傾斜地に設置すると共に、左右の据え付け架台１の開口１ａに固定金具６の両端部を夫々挿入し、固定金具６をアンカーピン８で設置面へ固定する（図８及び図９参照）。このとき、左右の据え付け架台１が沈み込む危険性のある場合には、据え付け架台１を設置する前に不整地の地盤や傾斜地の地盤を固める。
【００３５】
次に、左右の据え付け架台１の上面に植設したレベル調整固定機構３の各固定用ボルト３ａにナット３ｂ、小さめの平座金３ｃ、大きめの平座金３ｄ、ゴムパッキン３ｅを順次通し、その上から水平レベル調整板２を載せて水平レベル調整板２の各ボルト挿通孔２ａに固定用ボルト３ａを夫々挿通する。
【００３６】
その後、水平レベル調整板２の上面に水準器（図示省略）を載せ、当該水準器を使用して水平レベル調整板２が水平姿勢になるように各固定用ボルト３ａに螺着したナット３ｂを調整すると共に、水平レベル調整板２の高さがホース格納箱４を設置する高さになるように水平レベル調整板２の高さを調整する（図１０参照）。
【００３７】
水平レベル調整板２の水平レベル及び高さが調整されたら、水平レベル調整板２の上に格納箱４を載せ、格納箱４の底板４ｄに形成した各ボルト受入れ孔（図示省略）に固定用ボルト３ａを夫々挿通する。
【００３８】
最後に、格納箱４の内部に突き出た各固定用ボルト３ａにゴムパッキン３ｅ、大きめの平座金３ｄ、小さめの平座金３ｃ、ナット３ｂを順次通し、格納箱４内のナット３ｂを締め付けることによって、水平レベル調整板２ごと格納箱４を水平姿勢に固定する（図１１及び図１２参照）。
【００３９】
このように、屋外用消防ホース格納箱は、不整地や傾斜地への設置時に据え付け架台１の水平レベルが出ていなくても、水平レベル調整板２を固定機構３により水平姿勢に角度調整することによって、格納箱４を水平姿勢に簡単且つ容易に設置することが可能になると共に、据え付け架台１の微妙なレベル調整が不要となって格納箱４の設置を短時間で行える。
又、屋外用消防ホース格納箱は、不整地や傾斜地でも格納箱４を水平に設置できるため、格納箱４が変形を起こすと云うことがなく、開閉扉４″の開閉も容易に行えるうえ、格納箱４内に浸入した雨水が格納箱４内に片寄った状態で溜まると云うことがなく、格納箱４及び水平レベル調整板２に形成した水抜き孔４ｄ′，２ｂから雨水が排水され易くなり、錆びを誘発し難くなる。
更に、屋外用消防ホース格納箱は、格納箱４の底面（底板４ｄの下面）が水平レベル調整板２と接触しているため、従来のように雨水が格納箱の底面とコンクリート架台の上面との接触面に浸透して腐蝕を促進すると云うこともなくなる。
そのうえ、屋外用消防ホース格納箱は、格納箱４の底板４ｄが上げ底構造になっているため、格納箱４の両側面や背面を伝わる雨水が直接水平レベル調整板２にかかると云うことがなく、又、格納箱４の両側板４ａ及び背板４ｂを内方へ折り曲げているため、側面の強度の向上と腐食に対して一番弱い鋼板の切断面を雨水から保護することができる。
加えて、屋外用消防ホース格納箱は、格納箱４の底板４ｄが上げ底構造になっており、底板４ｄの上面が開閉扉４″の下端と同一になっているため、格納箱４内の清掃も行い易くなる。
更に、屋外用消防ホース格納箱は、格納箱４内に配設したノズル受け１０が開閉用キーハンドルＣを保持するフック１０ａを備えているため、格納箱４内にノズルＢ及び開閉用キーハンドルＣを鉛直姿勢で前後方向に配列した状態で整然と格納することができ、収納スペースが広くなって格納箱４内のスペースを有効利用することができる。
更に、屋外用消防ホース格納箱は、格納箱４の屋根板４ｃの前面及び両側面に、再帰反射テープ５を貼り付けているため、夜間の照明が不十分である歩道や道路脇に設置しても、夜間に格納箱４近傍を通過する自転車や自動車との接触事故を防止することができると共に、夜間に格納箱４の場所を容易に確認することができ、火災発生時に迅速な消火活動を行える。
更に、屋外用消防ホース格納箱は、左右の据え付け架台１を固定金具６及びアンカーピン８により設置面へ固定しているため、不整地や傾斜地であっても、設置面へ強固に固定することができ、地震等による格納箱４自体の不慮の転倒を確実に確実に防止することができ、安全性に優れたものとなる。
【００４０】
尚、上記の実施の形態に於いては、固定金具６及びアンカーピン８を用いて左右の据え付け架台１を設置面に固定し、固定した左右の据え付け架台１上に水平レベル調整板２及びレベル調整固定機構３を用いて格納箱４を水平姿勢に固定するようにしたが、アンカーボルト９を使用できる場合には、図１３に示す如く、左右の据え付け架台１と設置面との間にスペーサ１２を入れ、据え付け架台１のガタツキを無くした後、固定した左右の据え付け架台１上に水平レベル調整板２及びレベル調整固定機構３を用いて格納箱４を水平姿勢に固定するようにしても良い。
【００４１】
又、上記の実施の形態に於いては、レベル調整固定機構３をナット３ｂ、小さめの平座金３ｃ、大きめの平座金３ｄ、ゴムパッキン３ｅから構成し、不整地や傾斜地の勾配をゴムパッキン３ｅで吸収するようにしたが、他の実施の形態に於いては、ゴムパッキン３ｅ
及び平座金３ｃ，３ｄに替えて球面座金（図示省略）を使用しても良く、或いはゴムパッキン３ｅと球面座金を併用して使用しても良い。
【図面の簡単な説明】
【００４２】
【図１】本発明の実施の形態に係る屋外用消防ホース格納箱の正面図である。
【図２】屋外用消防ホース格納箱の側面図である。
【図３】格納箱の一部を破断した屋外用消防ホース格納箱の拡大正面図である。
【図４】格納箱の一部を破断した屋外用消防ホース格納箱の拡大側面図である。
【図５】屋外用消防ホース格納箱の拡大横断面図である。
【図６】据え付け架台及びレベル調整固定機構の分解斜視図である。
【図７】ノズル受けの斜視図である。
【図８】不整地の地盤を固めた状態の地盤の縦断面図である。
【図９】据え付け架台を固定金具及びアンカーピンにより不整地へ固定した状態の正面図である。
【図１０】据え付け架台上に水平レベル調整板を水平姿勢で取り付けた状態の正面図である。
【図１１】水平レベル調整板上に格納箱を取り付け固定した状態の一部切欠部分正面図である。
【図１２】水平レベル調整板上に格納箱を取り付け固定した状態の拡大縦断側面図である。
【図１３】据え付け架台を固定金具及びアンカーボルトで設置面へ固定した状態を示し、（Ａ）は据え付け架台の正面図、（Ｂ）は据え付け架台の側面図である。
【符号の説明】
【００４３】
１は据え付け架台、１ａは据え付け架台の開口、２は水平レベル調整板、３はレベル調整固定機構、４は格納箱、５は再帰反射テープ、６は固定金具、８はアンカーピン、９はアンカーボルト、１０はノズル受け、１０ａはノズル受けのフック、Ａは消防用ホース、Ｂはノズル、Ｃは開閉用キーハンドル。
【図１】
2010094202.tif 000003
【図２】
2010094202.tif 000004
【図３】
2010094202.tif 000005
【図４】
2010094202.tif 000006
【図５】
2010094202.tif 000007
【図６】
2010094202.tif 000008
【図７】
2010094202.tif 000009
【図８】
2010094202.tif 000010
【図９】
2010094202.tif 000011
【図１０】
2010094202.tif 000012
【図１１】
2010094202.tif 000013
【図１２】
2010094202.tif 000014
【図１３】
2010094202.tif 000015